(57)【要約】【課題】設備を分解する等の大掛かりな作業工数を必要とせず、井戸のケーシングの内壁面に付着した付着物を除去し、スクリーンの目詰まりを防止し、かつケーシングの内壁面やスクリーンにバイオフィルムが形成されるのを未然に防止できる井戸管内のサニテーション装置および井戸管内のサニテーション方法を提供する。【解決手段】井戸Ｘの壁面である管状のケーシングＹおよび井戸の水を揚水する揚水ポンプ３ａの隙間を通過できるように構成し、井戸Ｘの内部の洗浄および殺菌の少なくとも何れか一方を行うサニテーション処理を実施するサニテーション手段Ｂと、サニテーション手段Ｂを吊り下げる吊り下げ部材Ｃと、吊り下げ部材Ｃが接続したサニテーション手段Ｂを上昇あるいは下降させる昇降手段であるウインチＤと、を備えた井戸管内のサニテーション装置Ａ、および、サニテーション方法。【選択図】図１
2019027133.tif 000002
【特許請求の範囲】
【請求項１】
井戸の壁面である管状のケーシングおよび前記井戸の水を揚水する揚水ポンプの隙間を通過できるように構成し、前記井戸の内部の洗浄および殺菌の少なくとも何れか一方を行うサニテーション処理を実施するサニテーション手段と、
前記サニテーション手段を吊り下げる吊り下げ部材と、
前記吊り下げ部材が接続した前記サニテーション手段を上昇あるいは下降させる昇降手段と、を備えた井戸管内のサニテーション装置。
【請求項２】
前記サニテーション手段が、リング状担体の外周に、前記ケーシングの内壁面および前記ケーシングに形成してあるスクリーンを清掃できる外面清掃部材を備えた洗浄部材である請求項１に記載の井戸管内のサニテーション装置。
【請求項３】
前記リング状担体の内周に、前記揚水ポンプの表面を清掃できる内面清掃部材を備えた請求項２に記載の井戸管内のサニテーション装置。
【請求項４】
前記リング状担体に殺菌部材を備えてある請求項２または３に記載の井戸管内のサニテーション装置。
【請求項５】
前記リング状担体に超音波振動子を備えてある請求項２〜４の何れか一項に記載の井戸管内のサニテーション装置。
【請求項６】
前記サニテーション手段が殺菌部材である請求項１に記載の井戸管内のサニテーション装置。
【請求項７】
前記殺菌部材が、上面および底面が鋭角な略Ｖ字形に形成された容器に収容してある請求項６に記載の井戸管内のサニテーション装置。
【請求項８】
前記サニテーション手段が超音波振動子である請求項１に記載の井戸管内のサニテーション装置。
【請求項９】
前記超音波振動子が、上面および底面が鋭角な略Ｖ字形に形成された容器に収容してある請求項８に記載の井戸管内のサニテーション装置。
【請求項１０】
井戸の壁面である管状のケーシングおよび前記井戸の水を揚水する揚水ポンプの隙間を通過できるように構成し、前記井戸の内部の洗浄および殺菌の少なくとも何れか一方を行うサニテーション処理を実施するサニテーション手段を、
前記サニテーション手段を吊り下げる吊り下げ部材が接続した前記サニテーション手段を上昇あるいは下降させる昇降手段によって、定期的に上下移動させる井戸管内のサニテーション方法。
【発明の詳細な説明】
【技術分野】
【０００１】
本発明は、井戸の内部の洗浄および殺菌の少なくとも何れか一方を行うサニテーション処理を行う井戸管内のサニテーション装置およびサニテーション方法に関する。
【背景技術】
【０００２】
一般的に、井戸の壁面は鋼製の管状のケーシングで形成され、ケーシングにおける帯水層に当たる部分に、スクリーンが形成してある。スクリーンには多数の孔やスリット等が設けられており、スクリーンを通して帯水層から井戸内に水が透過する。
【０００３】
長年、揚水を続けた井戸は、水垢や炭酸塩等がケーシングに付着し、スクリーンの目詰まりを生じるため、適切な時期に、目詰まりの原因である付着物を除去する洗浄作業を行う必要が生じていた。当該洗浄作業を行うことで、井戸の水位低下や水量減少等の不都合を未然に防止でき、井戸を長期間に亘って使用することができる。
【０００４】
特許文献１には、先端に超高圧回転噴射ノズルを設けた超高圧水ホースを井戸のケーシング管内に吊り下げ、ケーシング管のスクリーンに超高圧回転噴射ノズルから超高圧水を噴射させながら回転し、スクリーンを洗浄することが記載してある。超高圧水をスクリーンに向けて噴射することにより、スクリーンの目詰まりの原因である付着物を除去することができていた。
【先行技術文献】
【特許文献】
【０００５】
【特許文献１】特開２００１−１９３１０６号公報
【発明の概要】
【発明が解決しようとする課題】
【０００６】
特許文献１に開示された洗浄器具は、井戸から揚水ポンプ等の設備一式を取り外した状態で用いられるものであり、設備の分解等に大掛かりな作業工数が要求されるため、一般には数年に一度といった頻度でのみ用いられるものである。しかしながら、特許文献１に記載したようなスクリーンの洗浄による付着物の除去作業の間の期間に、井戸の壁面であるケーシングやスクリーンに、微生物による菌膜であるバイオフィルムが形成され、井戸の内部の水質が汚染される虞があった。
【０００７】
通常、バイオフィルムは、壁面などに細菌などの微生物が付着し、細胞外多糖などの分泌物を分泌することで形成され、細菌の増殖に応じて徐々に厚みを増してコロニーが巨大化する。やがてバイオフィルムの内部の微生物が水中に放出されるようになる。
【０００８】
従って、本発明の目的は、設備を分解する等の大掛かりな作業工数を必要とせず、井戸のケーシングの内壁面に付着した付着物を除去し、スクリーンの目詰まりを防止し、かつケーシングの内壁面やスクリーンにバイオフィルムが形成されるのを未然に防止できる井戸管内のサニテーション装置および井戸管内のサニテーション方法を提供することにある。
【課題を解決するための手段】
【０００９】
上記目的を達成するための本発明に係る井戸管内のサニテーション装置の第一特徴構成は、井戸の壁面である管状のケーシングおよび前記井戸の水を揚水する揚水ポンプの隙間を通過できるように構成し、前記井戸の内部の洗浄および殺菌の少なくとも何れか一方を行うサニテーション処理を実施するサニテーション手段と、前記サニテーション手段を吊り下げる吊り下げ部材と、前記吊り下げ部材が接続した前記サニテーション手段を上昇あるいは下降させる昇降手段と、を備えた点にある。
【００１０】
本構成によれば、昇降手段によって吊り下げ部材が接続したサニテーション手段を上昇あるいは下降させることで、井戸の内部の洗浄および殺菌の少なくとも何れか一方を行うサニテーション処理を実施することができる。当該サニテーション処理を行うことにより洗浄が行われた場合には、ケーシングの内壁面に付着した付着物を除去することができ、スクリーンの目詰まり等を未然に防止することができる。また、当該サニテーション処理を行うことにより殺菌が行われた場合には、ケーシングの内壁面やスクリーンにバイオフィルムが形成されるのを未然に防止することができる。
【００１１】
また、サニテーション手段を定期的に上昇あるいは下降させることで、サニテーション処理を定期的に行うことができる。即ち、本発明の井戸管内のサニテーション装置では、設備を分解する等の大掛かりな作業工数を必要とせず、高い頻度でサニテーション処理を行うことができるため、井戸水の水質を高い水準で維持することができる。
【００１２】
本発明に係る井戸管内のサニテーション装置の第二特徴構成は、前記サニテーション手段を、リング状担体の外周に、前記ケーシングの内壁面および前記ケーシングに形成してあるスクリーンを清掃できる外面清掃部材を備えた洗浄部材とした点にある。
【００１３】
本構成によれば、サニテーション手段である洗浄部材の外面清掃部材によって直接ケーシングの内壁面およびスクリーンを清掃して洗浄することができる。これにより、ケーシングの内壁面に付着した付着物を除去することができ、スクリーンの目詰まり等を未然に防止することができる。また、清掃によりケーシングの内壁面やスクリーンに付着した微生物を直接除去することができるため、バイオフィルムが形成されるのを未然に防止することができる。
【００１４】
本発明に係る井戸管内のサニテーション装置の第三特徴構成は、前記リング状担体の内周に、前記揚水ポンプの表面を清掃できる内面清掃部材を備えた点にある。
【００１５】
本構成によれば、揚水ポンプの表面に付着した付着物を除去することができ、さらに揚水ポンプの表面を清掃することにより微生物を除去することができるため、揚水ポンプの表面にバイオフィルムが形成されるのを未然に防止することができる。
【００１６】
本発明に係る井戸管内のサニテーション装置の第四特徴構成は、前記リング状担体に殺菌部材を備えた点にある。
【００１７】
本構成によれば、殺菌部材を使用することにより、井戸管内の微生物を殺菌して当該微生物の繁殖を抑制或いは防止することできるため、井戸の壁面であるケーシングの内壁面やスクリーンにバイオフィルムが形成されるのを未然に防止することができる。
【００１８】
本発明に係る井戸管内のサニテーション装置の第五特徴構成は、前記リング状担体に超音波振動子を備えた点にある。
【００１９】
本構成のように超音波振動子を使用すれば、液体中に超音波を照射することによりキャビテーションと呼ばれる気泡の発生、圧縮、崩壊過程がおこり、この超音波エネルギーを利用して高効率の洗浄が可能となる。従って、超音波振動子を使用することにより、ケーシングの内壁面に付着した付着物の洗浄や、スクリーンの目詰まり等を未然に防止することができる。
【００２０】
本発明に係る井戸管内のサニテーション装置の第六特徴構成は、前記サニテーション手段を殺菌部材とした点にある。
【００２１】
本構成によれば、サニテーション手段である殺菌部材を定期的に上昇あるいは下降させることで、サニテーション処理（殺菌）を定期的に行うことができる。これにより、井戸管内の微生物を殺菌して当該微生物の繁殖を抑制或いは防止することできるため、井戸の壁面であるケーシングの内壁面やスクリーンにバイオフィルムが形成されるのを未然に防止することができる。
【００２２】
本発明に係る井戸管内のサニテーション装置の第七特徴構成は、前記殺菌部材を、上面および底面が鋭角な略Ｖ字形に形成された容器に収容した点にある。
【００２３】
本構成によれば、殺菌部材を収容する容器の形状を上面および底面が鋭角な略Ｖ字形とすることで、昇降手段によって殺菌部材を上昇あるいは下降させる際に、ケーシングの内部に存在する揚水ポンプ等の部材に引っかかり難くなる。そのため、本構成であれば、サニテーション処理をスムーズに行うことができる。
【００２４】
本発明に係る井戸管内のサニテーション装置の第八特徴構成は、前記サニテーション手段を超音波振動子とした点にある。
【００２５】
本構成によれば、サニテーション手段である超音波振動子を定期的に上昇あるいは下降させることで、サニテーション処理（洗浄）を定期的に行うことができる。これにより、ケーシングの内壁面に付着した付着物の洗浄や、スクリーンの目詰まり等を未然に防止することができる。
【００２６】
本発明に係る井戸管内のサニテーション装置の第九特徴構成は、前記超音波振動子を、上面および底面が鋭角な略Ｖ字形に形成された容器に収容した点にある。
【００２７】
本構成によれば、超音波振動子を収容する容器の形状を上面および底面が鋭角な略Ｖ字形とすることで、昇降手段によって超音波振動子を上昇あるいは下降させる際に、ケーシングの内部に存在する揚水ポンプ等の部材に引っかかり難くなる。そのため、本構成であれば、サニテーション処理をスムーズに行うことができる。
【００２８】
本発明に係る井戸管内のサニテーション方法の特徴構成は、井戸の壁面である管状のケーシングおよび前記井戸の水を揚水する揚水ポンプの隙間を通過できるように構成し、前記井戸の内部の洗浄および殺菌の少なくとも何れか一方を行うサニテーション処理を実施するサニテーション手段を、前記サニテーション手段を吊り下げる吊り下げ部材が接続した前記サニテーション手段を上昇あるいは下降させる昇降手段によって、定期的に上下移動させる点にある。
【００２９】
本構成によれば、昇降手段によって吊り下げ部材が接続したサニテーション手段を上昇あるいは下降させることで、井戸の内部の洗浄および殺菌の少なくとも何れか一方を行うサニテーション処理を実施することができる。当該サニテーション処理を行うことにより洗浄が行われた場合には、ケーシングの内壁面に付着した付着物を除去することができ、スクリーンの目詰まり等を未然に防止することができる。また、当該サニテーション処理を行うことにより殺菌が行われた場合には、ケーシングの内壁面やスクリーンにバイオフィルムが形成されるのを未然に防止することができる。
【００３０】
また、サニテーション手段を定期的に上昇あるいは下降させることで、サニテーション処理を定期的に行うことができる。即ち、本発明の井戸管内のサニテーション方法では、設備を分解する等の大掛かりな作業工数を必要とせず、高い頻度でサニテーション処理を行うことができるため、井戸水の水質を高い水準で維持することができる。
【図面の簡単な説明】
【００３１】
【図１】本発明の井戸管内のサニテーション装置を示す概略図である。
【図２】本発明の井戸管内のサニテーション装置を示す概略図である。
【図３】洗浄部材に外面清掃部材として外面ブラシを備えたサニテーション装置の要部概略図である。
【図４】洗浄部材に内面清掃部材として内面ブラシを備えたサニテーション装置の要部概略図である。
【図５】殺菌部材および超音波振動子を備えたサニテーション装置の要部概略図である。
【図６】別実施形態１のサニテーション装置を示す概略図である。
【図７】別実施形態２のサニテーション装置を示す概略図である。
【発明を実施するための形態】
【００３２】
以下、本発明の実施形態を図面に基づいて説明する。
図１〜３に示したように、本発明の井戸管内のサニテーション装置Ａは、井戸Ｘの壁面である管状のケーシングＹおよび井戸Ｘの水を揚水する揚水ポンプ３ａの隙間を通過できるように構成し、井戸Ｘの内部の洗浄および殺菌の少なくとも何れか一方を行うサニテーション処理を実施するサニテーション手段Ｂと、サニテーション手段Ｂを吊り下げる吊り下げ部材Ｃと、吊り下げ部材Ｃが接続したサニテーション手段Ｂを上昇あるいは下降させる昇降手段であるウインチＤと、を備える。
【００３３】
井戸Ｘの壁面は鋼製の管状のケーシングＹで形成され、ケーシングＹにおける帯水層に当たる部分に、スクリーンＳが形成してある。スクリーンには多数の孔やスリット等が設けられており、スクリーンＳを通して帯水層から井戸内に水が透過し、井戸水Ｗとして溜まる。通常、スクリーンＳは、ケーシングＹにおいて連続的に、あるいは断続的に複数形成してある。ケーシングＹは、通常、深さが約１００ｍ程度、直径が約２５〜５０ｃｍ程度である。
【００３４】
具体的には、ケーシングＹは、地層１の削孔内に砂利充填部２を介して設置される。ケーシングＹには、井戸水Ｗを揚水する揚水配管３および揚水ポンプ３ａが挿入してある。揚水配管３は、ケーシングＹの内部においては、その先端において揚水ポンプ３ａを備え、ケーシングＹの外部においては、井戸水Ｗの供給先までつながる送水管４と連設してある。揚水ポンプ３ａの直径は、通常、揚水配管３の直径より大きく形成してある。
【００３５】
本実施例では、揚水ポンプ３ａは、ケーシングＹに形成した最も上部に位置するスクリーンＳのすぐ上に位置するように配設してあるが、このような態様に限定されるものではない。また、ケーシングＹの内部には、揚水ポンプ３ａに接続する電線、液面計用配管（揚水ポンプ３ａまで）、液面計用配線、後述する殺菌部材および超音波振動子用配線、薬液注入用配管（井戸の底まで）などが挿入してある（何れも図外）。
【００３６】
このように直径が上述したサイズのケーシングＹには、揚水配管３や揚水ポンプ３ａの他、上記の種々の配線や配管等の部材が挿入してあるため、通常、ケーシングＹの内壁面ａおよびこれら部材の隙間は極めて小さい。
【００３７】
本発明の井戸管内のサニテーション装置Ａは、当該隙間を通過できるサニテーション手段Ｂを備える。本実施形態におけるサニテーション手段Ｂは、リング状担体１１の外周に、ケーシングＹの内壁面ａおよびケーシングＹに形成してあるスクリーンＳを清掃できる外面清掃部材として外面ブラシ１２を備えた洗浄部材１０とした場合について説明する。
【００３８】
リング状担体１１は、前記隙間を通過できる程度の直径を有するように、即ち、ケーシングＹの内壁面ａや揚水ポンプ３ａの外面に干渉しない程度の直径を有するように構成する。リング状担体１１は、複数（例えば２つ）に分割できるように構成すれば、ケーシングＹの内壁面ａや揚水ポンプ３ａの外面に干渉しないように、容易にケーシングＹの内部に配設することができる。また、洗浄部材１０のメンテナンス時や交換時においても、ケーシングＹの内壁面ａや揚水ポンプ３ａの外面に干渉しないようにリング状担体１１を分解してケーシングＹの内部から容易に取り出すことができる。
【００３９】
リング状担体１１は、井戸水Ｗに浸漬している期間がある程度長くなっても錆びなどの劣化が発生し難い材質を使用するのがよく、例えばＳＵＳなどを使用するのがよいが、これに限定されるものではない。リング状担体１１の重さは特に限定されるものではないが、２〜３ｋｇ程度とすれば、自重で安定してケーシングＹ内を上下移動させることができる。リング状担体１１は、上下方向にある程度の幅（約１０〜２０ｃｍ程度）を有する形状とすれば、リング状担体１１の外周に多くの外面ブラシ１２を備えることができる。
【００４０】
外面ブラシ１２は、リング状担体１１の外周に設けてあり、ケーシングＹの内壁面ａや、ケーシングＹに形成してあるスクリーンＳを清掃できるものであれば、その長さや材質は特に限定されるものではない。例えば外面ブラシ１２の長さは約１〜５ｃｍとし、樹脂製などのブラシを使用するとよい。外面ブラシ１２はリング状担体１１の外周の全面に設けると、効率よくケーシングＹの内壁面ａスクリーンＳを清掃できる。
【００４１】
本構成のようにサニテーション手段Ｂを、リング状担体１１の外周に、ケーシングＹの内壁面ａおよびケーシングＹに形成してあるスクリーンＳを清掃できる外面ブラシ１２を備えた洗浄部材１０とすれば、外面ブラシ１２によって直接ケーシングＹの内壁面ａおよびスクリーンＳを清掃して洗浄することができる。これにより、ケーシングＹの内壁面ａに付着した付着物を除去することができ、スクリーンＳの目詰まり等を未然に防止することができる。また、清掃によりケーシングＹの内壁面ａやスクリーンＳに付着した微生物を直接除去することができるため、バイオフィルムが形成されるのを未然に防止することができる。
【００４２】
図４に示すように、リング状担体１１の内周には、揚水ポンプ３ａの表面を清掃できる内面清掃部材として内面ブラシ１３を備えてもよい。当該内面ブラシ１３も、外面ブラシ１２と同様にその長さや材質は特に限定されるものではない。例えば内面ブラシ１３の長さは約１〜５ｃｍとし、樹脂製などのブラシを使用するとよい。また、内面ブラシ１３はリング状担体１１の内周の全面に設けると、効率よく揚水ポンプ３ａの表面を清掃できる。
【００４３】
尚、上述した外面清掃部材や内面清掃部材はブラシに限定されず、スポンジ、高圧エア噴射装置、高圧水噴射装置等、ケーシングＹやスクリーンＳに付着した微生物を直接除去できる目的が達成できる限り、公知の手段を採用することができる。
【００４４】
これにより、揚水ポンプ３ａの表面に付着した付着物を除去することができ、さらに揚水ポンプ３ａの表面を清掃することにより微生物を除去することができるため、揚水ポンプ３ａの表面にバイオフィルムが形成されるのを未然に防止することができる。
【００４５】
本発明の井戸管内のサニテーション装置Ａは、サニテーション手段Ｂ（洗浄部材１０）を吊り下げる吊り下げ部材Ｃを備える。本実施形態では、洗浄部材１０に接続する複数の吊り下げ部材Ｃを備える場合について説明する。複数の吊り下げ部材Ｃは、例えば３本の吊り下げ部材Ｃが洗浄部材１０に接続するのがよいが、これに限定されるものではない。吊り下げ部材Ｃは、洗浄部材１０を吊り下げた状態で切断されない強度を有している限り、材質を限定するものでなく、例えばワイヤー、紐、ロープ、鎖等を使用することができるが、これらに限定されるものではない。また、吊り下げ部材Ｃは、金属製のワイヤーを使用する場合は、井戸水Ｗに浸漬している期間がある程度長くなっても錆びなどの劣化が発生し難い材質を使用するのがよく、例えばステンレス線、硬鋼線、炭素鋼で作られた金属線（ピアノ線）などを使用するのがよいが、これらに限定されるものではない。また、吊り下げ部材Ｃは、洗浄部材１０を吊り下げた状態とする期間が長期に亘る場合があるため、伸びの発生し難い材質（ステンレス線、硬鋼線、ピアノ線等）を使用するのがよい。吊り下げ部材Ｃは、ケーシングＹの最下面まで洗浄部材１０を吊り下げることができるように、少なくともケーシングＹの深さ（約１００ｍ）と同等の長さを有することが必要である。
【００４６】
本発明の井戸管内のサニテーション装置Ａは、吊り下げ部材Ｃが接続したサニテーション手段Ｂ（洗浄部材１０）を上昇あるいは下降させる昇降手段であるウインチＤを備える。当該ウインチＤは、ワイヤー等の吊り下げ部材Ｃをドラムの駆動により巻き上げ或いは巻き下げして洗浄部材１０の昇降ができる態様であれば、特に限定されるものではない。ウインチＤは原動機で作動する電動ウインチや回転ハンドルで作動させる手動ウインチ等を使用することができる。ウインチＤはケーシングＹの上方に配設し、揚水配管３と干渉しないように配設する。
【００４７】
本実施形態では、井戸Ｘをカバー２０で覆ってもよい。当該カバー２０は、ケーシングＹの上方をウインチＤを含めて覆うように配設するとよい。カバー２０の上面には、揚水配管３が挿通する孔部２０ａが形成してある。
【００４８】
また、サニテーション手段Ｂ（洗浄部材１０）によってサニテーション処理を行わない場合は、ウインチＤによって、図１に示すように洗浄部材１０を水面上に露出させた状態で洗浄部材１０を吊り下げ部材Ｃで吊り下げておくとよい。これにより、サニテーション手段Ｂ（洗浄部材１０）を乾燥させることができる。
【００４９】
リング状担体１１には殺菌部材１４を備えてもよい（図５）。当該殺菌部材１４は、例えば紫外線を照射する紫外線照射装置等を使用することができるが、これに限定されるものではない。殺菌部材１４は、紫外線照射装置として、例えばリング状担体１１の形状に沿ったリング状のＵＶランプ、紫外線ＬＥＤや、電球状のＵＶランプ、紫外線ＬＥＤを使用することができる。電球状の紫外線照射装置を使用する場合は、１〜複数個の紫外線照射装置を使用することができる。このような態様の殺菌部材１４をリング状担体１１の下面に吊り下げる様に配設するとよい。殺菌部材１４に接続する電源用の配線はケーシングＹの内部を通してケーシングＹの外部に接続している（図外）。
【００５０】
殺菌部材１４は、上面１４ａおよび底面１４ｂが鋭角な略Ｖ字形に形成された容器１４Ａに収容してある場合について説明する。容器１４Ａは、殺菌部材１４が紫外線照射装置である場合は、紫外線の照射を妨げず、殺菌効果に影響を与えない透明或いは半透明な容器とすればよい。
【００５１】
殺菌部材１４（紫外線照射装置）を使用することにより、井戸管内の微生物を殺菌して当該微生物の繁殖を抑制或いは防止することできるため、井戸の壁面であるケーシングＹの内壁面ａやスクリーンＳにバイオフィルムが形成されるのを未然に防止することができる。
【００５２】
また、リング状担体１１には超音波振動子１５を備えてもよい（図５）。当該超音波振動子１５は、例えば液体中に超音波（例えば周波数２５〜４０ｋＨｚ）を照射することができるものであれば、特に限定されるものではない。超音波振動子１５の形状は例えば棒状の振動子とすることができ、このような態様の超音波振動子１５を１〜複数個、リング状担体１１の下面に吊り下げる様に配設するとよい。例えば超音波振動子１５として、配管洗浄用超音波洗浄機（ＳＰＭ−Ｐ：新科産業有限会社製）を使用することができる。超音波振動子１５に接続する電源用の配線はケーシングＹの内部を通してケーシングＹの外部に接続している（図外）。
【００５３】
超音波振動子１５は、上面１５ａおよび底面１５ｂが鋭角な略Ｖ字形に形成された容器１５Ａに収容してある場合について説明する。容器１５Ａは、超音波振動子１５が液体中に超音波を照射するのを妨げず、洗浄効果に影響を与えない容器（例えば容器１５Ａの側面に空隙を設けた態様）とすればよい。
【００５４】
超音波振動子１５を使用すれば、液体中に超音波を照射することによりキャビテーションと呼ばれる気泡の発生、圧縮、崩壊過程がおこり、この超音波エネルギーを利用して高効率の洗浄が可能となる。従って、超音波振動子１５を使用することにより、ケーシングＹの内壁面ａに付着した付着物の洗浄や、スクリーンＳの目詰まり等を未然に防止することができる。
【００５５】
長期間揚水を続けると、スクリーンＳが種々の付着物により目詰まりを生じる。或いは、ケーシングＹやスクリーンＳに、微生物による菌膜であるバイオフィルムが形成される虞がある。
【００５６】
そのため、本発明の井戸管内のサニテーション方法では、井戸Ｘの壁面である管状のケーシングＫおよび井戸Ｘの水を揚水する揚水ポンプ３ａの隙間を通過できるように構成し、井戸Ｘの内部の洗浄および殺菌の少なくとも何れか一方を行うサニテーション処理を実施するサニテーション手段Ｂを、サニテーション手段Ｂを吊り下げる吊り下げ部材Ｃが接続したサニテーション手段Ｂを上昇あるいは下降させるウインチＤによって、定期的に上下移動させる。
【００５７】
本発明の井戸管内のサニテーション装置Ａは、ウインチＤによって吊り下げ部材Ｃが接続したサニテーション手段Ｂ（洗浄部材１０）を上昇あるいは下降させることで、井戸Ｘの内部の洗浄および殺菌の少なくとも何れか一方を行うサニテーション処理を実施することができる。当該サニテーション処理を行うことにより洗浄が行われた場合には、ケーシングＹの内壁面ａに付着した付着物を除去することができ、スクリーンＳの目詰まり等を未然に防止することができる。また、当該サニテーション処理を行うことにより殺菌が行われた場合には、ケーシングＹの内壁面ａやスクリーンＳにバイオフィルムが形成されるのを未然に防止することができる。
【００５８】
また、サニテーション手段Ｂ（洗浄部材１０）を定期的に上昇あるいは下降させることで、日常的なメンテナンスとしてサニテーション処理を定期的に行うことができる。サニテーション処理を行う頻度（サニテーション手段Ｂを上昇および下降させる回数）は、例えば一日一回から週一回程度とするのが好ましいが、これらに限らず、一日数回行うようにしてもよい。即ち、本発明の井戸管内のサニテーション装置Ａおよびサニテーション方法では、高い頻度でサニテーション処理を行うことができるため、井戸水Ｗの水質を高い水準で維持することができる。
尚、サニテーション手段Ｂを上昇あるいは下降させる速度は、適宜設定すればよい。例えばサニテーション手段Ｂを下降させる速度は、サニテーション手段Ｂが自重で安定して、ケーシングＹの内壁面ａや揚水ポンプ３ａ等の外面にできるだけ干渉しないように、下降するように設定すればよい。
【００５９】
〔別実施の形態１〕
上述した実施形態では、サニテーション手段Ｂを洗浄部材１０とした場合について説明したが、これに限らず、サニテーション手段Ｂを殺菌部材１４としてもよい（図６）。即ち、サニテーション手段Ｂである殺菌部材１４をケーシングＹおよび揚水ポンプ３ａの隙間を通過できるように構成し、殺菌部材１４を吊り下げ部材Ｃによって吊り下げ、ウインチＤによって殺菌部材１４を上昇あるいは下降させるように構成する。
【００６０】
当該殺菌部材１４は、例えば紫外線を照射する紫外線照射装置等を使用することができるが、これに限定されるものではない。紫外線照射装置は、例えば電球状のＵＶランプ、紫外線ＬＥＤ等を使用するとよい。
【００６１】
本構成では、洗浄部材１０を使用せず殺菌部材１４（紫外線照射装置）のみを使用する。即ち、サニテーション手段Ｂ（殺菌部材１４）を定期的に上昇あるいは下降させることで、サニテーション処理（殺菌）を定期的に行うことができる。これにより、井戸管内の微生物を殺菌して当該微生物の繁殖を抑制或いは防止することできるため、井戸の壁面であるケーシングＹの内壁面ａやスクリーンＳにバイオフィルムが形成されるのを未然に防止することができる。
【００６２】
本実施形態では、殺菌部材１４が、上面１４ａおよび底面１４ｂが鋭角な略Ｖ字形に形成された容器１４Ａに収容してある場合について説明する。容器１４Ａは、殺菌部材１４がＵＶランプである場合は、紫外線の照射を妨げず、殺菌効果に影響を与えない透明或いは半透明な容器とすればよい。
【００６３】
本構成のように、殺菌部材１４を収容する容器１４Ａの形状を上面１４ａおよび底面１４ｂが鋭角な略Ｖ字形とすることで、ウインチＤによって殺菌部材１４を上昇あるいは下降させる際に、ケーシングＹの内部に存在する揚水ポンプ３ａ等の部材に引っかかり難くなる。そのため、本構成であれば、サニテーション処理をスムーズに行うことができる。
【００６４】
〔別実施の形態２〕
上述した実施形態では、サニテーション手段Ｂを洗浄部材１０や殺菌部材１４とした場合について説明したが、これに限らず、サニテーション手段Ｂを超音波振動子１５としてもよい（図７）。即ち、サニテーション手段Ｂである超音波振動子１５をケーシングＹおよび揚水ポンプ３ａの隙間を通過できるように構成し、超音波振動子１５を吊り下げ部材Ｃによって吊り下げ、ウインチＤによって超音波振動子１５を上昇あるいは下降させるように構成する。
【００６５】
超音波振動子１５は、例えば液体中に超音波を照射することができるものであれば、特に限定されるものではない。超音波振動子１５の形状は例えば棒状の振動子とすることができる。
【００６６】
本構成では、洗浄部材１０を使用せず超音波振動子１５のみを使用する。即ち、サニテーション手段Ｂ（超音波振動子１５）を定期的に上昇あるいは下降させることで、サニテーション処理（洗浄）を定期的に行うことができる。これにより、ケーシングＹの内壁面ａに付着した付着物の洗浄や、スクリーンＳの目詰まり等を未然に防止することができる。
【００６７】
本実施形態では、超音波振動子１５が、上面１５ａおよび底面１５ｂが鋭角な略Ｖ字形に形成された容器１５Ａに収容してある場合について説明する。容器１５Ａは、超音波振動子１５が液体中に超音波を照射するのを妨げず、洗浄効果に影響を与えない容器（例えば容器１５Ａの側面に空隙を設けた態様）とすればよい。
【００６８】
本構成のように、超音波振動子１５を収容する容器１５Ａの形状を上面１５ａおよび底面１５ｂが鋭角な略Ｖ字形とすることで、ウインチＤによって超音波振動子１５を上昇あるいは下降させる際に、ケーシングＹの内部に存在する揚水ポンプ３ａ等の部材に引っかかり難くなる。そのため、本構成であれば、サニテーション処理をスムーズに行うことができる。
【００６９】
尚、別実施の形態１で使用したサニテーション手段Ｂである殺菌部材１４および別実施の形態２で使用したサニテーション手段Ｂである超音波振動子１５を連結し、ウインチＤによってこれらを上昇あるいは下降させることで、洗浄および殺菌のサニテーション処理を同時に行うことができる。
【産業上の利用可能性】
【００７０】
井戸の内部の洗浄および殺菌の少なくとも何れか一方を行うサニテーション処理を行う井戸管内のサニテーション装置およびサニテーション方法に利用できる。
【符号の説明】
【００７１】
Ａ          サニテーション装置
Ｂ          サニテーション手段
Ｃ          吊り下げ部材
Ｄ          ウインチ
Ｘ          井戸
Ｙ          ケーシング
３ａ        揚水ポンプ
１０        洗浄部材
１１        リング状担体
１２        外面ブラシ
１３        内面ブラシ
１４        殺菌部材
１４Ａ      容器
１４ａ      上面
１４ｂ      底面
１５        超音波振動子
１５Ａ      容器
１５ａ      上面
１５ｂ      底面
【図１】
2019027133.tif 000003
【図２】
2019027133.tif 000004
【図３】
2019027133.tif 000005
【図４】
2019027133.tif 000006
【図５】
2019027133.tif 000007
【図６】
2019027133.tif 000008
【図７】
2019027133.tif 000009